(57)【特許請求の範囲】
【請求項１】
ケーブルを保持する受け側ケーブル固定手段と、前記受け側ケーブル固定手段との間で前記ケーブルを押さえ固定する押さえ側ケーブル固定手段とを有し、前記受け側ケーブル固定手段はその対称位置の辺にそれぞれケーブルを保持する少なくとも２箇所の凹部を有し、それぞれの前記ケーブルは前記押さえ側ケーブル固定手段により前記受け側ケーブル固定手段の中心方向に向けて押さえられ、前記押さえ側ケーブル固定手段を貫通して前記受け側ケーブル固定手段に接合して固定する固定用接合手段を備え、前記受け側ケーブル固定手段の凹部の底部分に、端面から凹部中央に向けた切込み部を設けることを特徴とするケーブル固定構造。
【請求項２】
前記押さえ側ケーブル固定手段の一方が所定の筐体であることを特徴とする請求項１記載のケーブル固定構造。
【請求項３】
前記ケーブルの外径がそれぞれ異なる事を特徴とする請求項１または２記載のケーブル固定構造。
【請求項４】
前記受け側ケーブル固定手段の対称位置に前記ケーブルを固定した場合、各ケーブルの仮想センター間距離が前記ケーブルがフリーの状態での２本接したときのセンター間距離よりも大きいことを特徴とする請求項１ないし３記載のケーブル固定構造。
【請求項５】
前記受け側ケーブル固定手段と前記押さえ側ケーブル固定手段とが接触してできる空間において、前記ケーブルの径方向の前記空間の断面積が、前記ケーブルの径方向の断面積よりも小さいことを特徴とする請求項１ないし４記載のケーブル固定構造。
【発明の詳細な説明】
【技術分野】
【０００１】
本発明は、電子機器のケーブル固定構造に係わり、例えばコンピュータと周辺機器や、超音波画像診断装置と超音波プローブ等において複数のケーブルを固定する際の、ケーブル固定構造に関するものである。
【背景技術】
【０００２】
従来のケーブル固定構造は、図６に示すように固定するケーブル３４、３５に適した凹面が形成された受け側ケーブル固定部品３０と押さえ側ケーブル固定部品３２で構成されており、これらの間にケーブル３０を挟み固定用ねじ３６で締め付ける事により、その圧力によってケーブルと固定部品間に摩擦力が生じさせ、機器にケーブルを固定していた。
また、外径の異なる複数のケーブルを固定する際には、それぞれのケーブル外径に適した凹面部を有する受け側ケーブル固定部品を用い、それぞれのケーブルを独自に固定する為の固定構造を複数セット用意していた。
例えば特許文献１においては、外径の異なる複数のケーブルを固定する際の方法等が記載されている。
【特許文献１】特開平４−３７２５１４号公報
【発明の開示】
【発明が解決しようとする課題】
【０００３】
しかしながら、従来のケーブル固定構造においては、複数のケーブルを固定する為にはそれぞれのケーブルを独自に固定する為の固定構造を複数セット用意する必要があり、構造が複雑になるばかりでなく、ケーブルを近接して固定する事が難しく、機器の小型化が困難であるという問題があった。
【０００４】
また、同一の押さえ側ケーブル固定部品において異なる直径の２本のケーブルを固定しようとした場合においては、双方のケーブルをバランス良く必要な固定強度で固定することが難しく、一方の固定強度が低下してしまうという問題があった。
【０００５】
本発明は、このような従来の問題を解決するためになされたもので、ケーブルの外径の異なる複数のケーブルにおいても高い固定強度で近接して固定することが出来るケーブル固定構造を提供することを目的とする。
【課題を解決するための手段】
【０００６】
本発明のケーブル固定構造は、  
ケーブルを保持する受け側ケーブル固定手段と、前記受け側ケーブル固定手段との間で前記ケーブルを押さえ固定する押さえ側ケーブル固定手段とを有し、前記受け側ケーブル固定手段はその対称位置の辺にそれぞれケーブルを保持する少なくとも２箇所の凹部を有し、それぞれの前記ケーブルは前記押さえ側ケーブル固定手段により前記受け側ケーブル固定手段の中心方向に向けて押さえられ、前記押さえ側ケーブル固定手段を貫通して前記受け側ケーブル固定手段に接合して固定する固定用接合手段を備えた構成となっている。
【０００７】
この構成により、２本のケーブルを固定する場合においても、ケーブルの固定強度を低下させる事無く、近接して固定することができる。
【０００８】
また、２本のケーブルの外径がそれぞれ異なる場合においても、受け側ケーブル固定部品の形状をそれぞれのケーブルに適した形状とする構成にすることにより、２本のケーブルの外径がことなる場合においても、ケーブルの固定強度を低下させる事無く、近接して
固定することができる。
【０００９】
さらに、２本のケーブル間に受け側ケーブル固定部品を介し、一方のケーブルは筐体に接し、もう一方のケーブル側はケーブル押さえ部品を介し固定用ねじにより筐体に固定する構成により、ケーブルの固定強度を低下させる事無く、近接して固定することができる上に部品点数を削減することができる。
【発明の効果】
【００１０】
本発明は、受け側ケーブル固定部品と押さえ側ケーブル固定部品でケーブルを挟み、固定用ねじで固定するケーブル固定構造において、受け側ケーブル固定部品の２面に２本のケーブルを対向する方向からそれぞれの押さえ側ケーブル固定部品を固定用ねじで押さえることにより、２本のケーブルを固定する場合においても、ケーブルの固定強度を低下させる事無く、近接して固定することができることにより、省スペースで小型化が可能なケーブル固定構造を提供することができるものである。
【発明を実施するための最良の形態】
【００１１】
以下、本発明の実施の形態にのケーブル固定構造について、図面を用いて説明する。
【００１２】
本発明の第１の実施の形態のケーブル固定構造を図１に示す。
【００１３】
図１において、受け側ケーブル固定部品１の２面にはそれぞれケーブルを受けるための凹面部が形成され、それぞれその近接部にはねじ穴４がそれぞれ２箇所形成されている。
【００１４】
また、第一押さえ側ケーブル固定部品２には受け側ケーブル固定部品１のねじ穴４と等間隔で形成されたねじ貫通穴５が形成され、この第一押さえ側ケーブル固定部品２を受け側ケーブル固定部品１にねじ止めするための固定用ねじ６が用意されている。
【００１５】
さらに、受け側ケーブル固定部品１の反対面へも同様に第二押さえ側ケーブル固定部品３および固定用ねじ７が用意されている。
【００１６】
この際の受け側ケーブル固定部品１のそれぞれの面に形成されたケーブルを受けるための凹面部は、押さえ側固定部品２、３が接した際に形成される半円状の面積が、固定したいケーブルの直径方向の断面積よりも小さくなる様に適切な形状で形成されている。
【００１７】
以上のように構成されたケーブル固定構造について、図２を用いてその動作を説明する。
【００１８】
まず、固定したい第一ケーブル８は、そのケーブル用に形成された受け側ケーブル固定部品１の凹面部に配置され、ケーブルを挟み込む形で第一押さえ側ケーブル固定部品２を配置し、２本の固定用ねじ６によって第一押さえ側ケーブル固定部品２を受け側ケーブル固定部品１にねじ止めされ、第一ケーブル８に圧力を加える状態でケーブルを固定されている。
【００１９】
一方、受け側ケーブル固定部品１の反対面においても同様に、固定したい第二ケーブル９はそのケーブル用に形成された受け側ケーブル固定部品１のもう一方の凹面部に配置され、ケーブルを挟み込む形で第二押さえ側ケーブル固定部品３を配置し、２本の固定用ねじ７によって第二押さえ側ケーブル固定部品３を受け側ケーブル固定部品１にねじ止めされ、第二ケーブル９に圧力を加える状態でケーブルを固定されている。
【００２０】
本図においては受け側ケーブル固定部品１の凹面部は半円状の凹面形状で記載されてい
るが、これらの形状は本図の形状に限定されるものではなく、矩形状や三角状の形状でも構わない。
【００２１】
また、第一押さえ側ケーブル固定部品２および第二押さえ側ケーブル固定部品３は平板状で記載されているがこちらについても本図の形状に限定されるものではなく、凹面形状や凸面形状であっても構わない。          
【００２２】
ただし、受け側ケーブル固定部品１と押さえ側ケーブル固定部品２、３を接触させた際に出来る空間の断面積は、ケーブルの径方向の断面積よりも小さくしておく事が望ましい。
【００２３】
また、ケーブルに何ら力がかかっていないフリー状態での断面積と、力を加えて圧縮したときの断面積の減少量との比（以下圧縮率と呼ぶ）が、圧縮されやすく圧縮率が大きいほど、上記した空間の断面積はより小さくすることで、固定時、常に圧縮応力が掛かることになるため固定強度を高めることができる。
【００２４】
上記空間の断面積がケーブル断面の樹脂部分が締める断面積の１／２０〜３／１０程度削減したほうが望ましい。
【００２５】
このような本発明の第１の実施の形態のケーブル固定構造によれば、受け側ケーブル固定部品の２面に２本のケーブルを対向する方向からそれぞれの押さえ側ケーブル固定部品を固定用ねじで押さえることにより、ケーブルの固定強度を低下させる事無く、近接して固定することができることにより、省スペースで小型化が可能なケーブル固定構造を提供することができる。
【００２６】
次に本発明の第２の実施の形態のケーブル固定構造を図３に示す。
【００２７】
図３においては、固定する２本のケーブル径が異なる場合のものであり、受け側ケーブル固定部品１１の凹面形状がそれぞれのケーブル１８、１９の直径に適するように異なる形状となっているものであり、構成および動作は、第１の実施の形態と同様である。
【００２８】
このような本発明の第２の実施の形態のケーブル固定構造によれば、異なる直径のケーブルを固定する際において、受け側ケーブル固定部品１１の凹面形状をそれぞれのケーブル１８、１９に適した形状とすることにより、双方のケーブルを十分な固定強度で固定することが可能な上に、省スペースで小型化が可能なケーブル固定構造を提供することができる。
【００２９】
さらに本発明の第３の実施の形態のケーブル固定構造を図４に示す。
【００３０】
図４においては、２本のケーブルを筐体に固定する場合のものであり、一方の押さえ側ケーブル固定部品として筐体２２の一部を利用するものであり、筐体２２の一部には第一押さえ側ケーブル固定部品２に設けられたねじ貫通穴５と等間隔で形成されたねじ穴２５が設けられている。
【００３１】
受け側ケーブル固定部品２０にも、その両面に２本のケーブルを受けるための凹面形状が構成され、その近接部には押さえ側ケーブル固定部品２１に設けられたねじ貫通穴２３と等間隔で形成されたねじ貫通穴２４が設けられている。
【００３２】
以上のように構成されたケーブル固定構造について、図４を用いてその動作を説明する。
【００３３】
このような本発明の第３の実施の形態のケーブル固定構造によれば、一方のケーブルは筐体２２と受け側ケーブル固定部品２０との間に置かれ、さらにもう一本のケーブルは受け側ケーブル固定部品２０と押さえ側ケーブル固定部品２１との間に置き、押さえ側ケーブル固定部品２１に設けられたねじ貫通穴２３に挿入された固定用ねじ２６によって筐体に固定されるため、別途筐体への固定部品を用意する事無く、２本のケーブルを省スペースで筐体に固定することが可能なケーブル固定構造を提供することができる。
【００３４】
図示はしていないが、本発明の第４の実施の形態のケーブル固定構造については、前記第３の実施の形態において、第２の実施の形態と同様に異なる直径の２本のケーブルを筐体に固定することが可能となるものである。
【００３５】
なお、第１〜第３の実施の形態において、受け側ケーブル固定部品１の対称位置に設けた凹面部に押さえ側ケーブル固定部品２、３でケーブル８、９等を固定したときのケーブル仮想センター間距離が、ケーブルがフリーの状態での２本接したときのセンター間距離よりも大きくすることが望ましい。  この構成によれば、受け側ケーブル固定部品１を導電体で構成し、ケーブル端部に近いシールド線処理部で固定することで、グランドに接地し、ノイズを低減することができる。
【００３６】
さらに、受け側ケーブル固定部品１の取り付け位置から、ケーブルの長手方向に、おおよそケーブルのフリー状態での直径分離れた位置で、かつ、ケーブルに対して引張り力が係りやすい方向に、ケーブル２本を接した状態で保持できる保持ガイドブロック（不図示）を本体筐体等に固定して設けることで、受け側ケーブル固定部品１でのケーブル間ピッチからケーブル２本を接した状態でのケーブル間ピッチに短い距離で間隔が狭められるため、ケーブルのストレスが大きくなることで高い固定強度で、かつ小型化を実現できる。この時、ケーブルの少なくとも一報は受け側ケーブル固定部品と保持ガイドブロックとの間で、略Ｓ字形状となり場合によっては対象形の状態で隣り合った状態となる。
【００３７】
さらに、図５に示すように受け側ケーブル固定部品１の凹面部の底部分に端面から凹面部中央（受け側ケーブル固定部品１の厚さ方向中央）に向けて、徐々に小さくなる切込み部２７を設けることで、ケーブルに引っ張り力がかかった場合、この切込み部に圧縮状態で入り込んでいるケーブル素材が、切込みの減少にあわせてより圧縮力を増大させるため、さらに強固な固定が可能となる。
【００３８】
また、受け側ケーブル固定部品取り付け位置から、ケーブルに対して引張り力が係りやすい方向に、各ケーブルを曲げた場合の最小半径程度の曲率半径で千鳥状態になるようにピンブロック（不図示）あるいはケーブルが這う壁面に溝（不図示）を設けることで、より高い固定強度で、かつ小型化を実現できる。
【産業上の利用可能性】
【００３９】
以上のように、本発明にかかるケーブル固定構造は、受け側ケーブル固定部品と押さえ側ケーブル固定部品でケーブルを挟み、固定用ねじで固定するケーブル固定構造において、受け側ケーブル固定部品の２面に２本のケーブルを対向する方向からそれぞれの押さえ側ケーブル固定部品を固定用ねじで押さえることにより、２本のケーブルを固定する場合においても、ケーブルの固定強度を低下させる事無く、近接して固定することができるということにより、省スペースで小型化が可能なケーブル固定構造を提供することができるという効果を有し、例えばコンピュータと周辺機器や、超音波画像診断装置と超音波プローブ等において複数のケーブルを固定する際の、ケーブル固定構造として有用である。
【図面の簡単な説明】
【００４０】
【図１】本発明の第１の実施の形態におけるケーブル固定構造の斜視図
【図２】本発明の第１の実施の形態におけるケーブル固定構造の構成図
【図３】本発明の第２の実施の形態におけるケーブル固定構造の構成図
【図４】本発明の第３の実施の形態におけるケーブル固定構造の構成図
【図５】本発明の第１乃至第３の実施の形態における切込み部を有するケーブル固定構造の構成図
【図６】従来のケーブル固定構造の構成図
【符号の説明】
【００４１】
１、１１  受け側ケーブル固定部品
２、１２  第一押さえ側ケーブル固定部品
３、１３  第二押さえ側ケーブル固定部品
４、２４、２５  ねじ穴
５  ねじ貫通穴
６、７、１６、１７、２６  固定用ねじ
８  第一ケーブル
９  第二ケーブル
１８  第三ケーブル
１９  第四ケーブル
２７  切込み部
【図１】
0004725295.tif 000002
【図２】
0004725295.tif 000003
【図３】
0004725295.tif 000004
【図４】
0004725295.tif 000005
【図５】
0004725295.tif 000006
【図６】
0004725295.tif 000007